(57)【要約】      （修正有）【課題】組立後にもスイーベル操作力、すなわち、スリップトルクの調整ができるようにしたモニタ用スイーベル装置を提供する。【解決手段】ベース板１と、該ベース板に回転自在に設けられると共に電動モータにより回転駆動される出力ギヤ４と、該出力ギヤにスリップ部９aを介して摩擦接触しながら回転駆動されるクラッチ板９と、該クラッチ板に取り付け固定されるモニタ取付板５と、該クラッチ板の上記出力ギヤに対する接触摩擦力を調整する手段７，８から構成される。【選択図】図３
0003132678.tif 000002
【実用新案登録請求の範囲】
【請求項１】
ベース板と、該ベース板に回転自在に設けられると共に電動モータにより回転駆動される出力ギヤと、該出力ギヤにスリップ部を介して摩擦接触しながら回転駆動されるクラッチ板と、該クラッチ板に取り付け固定されるモニタ取付板と、該クラッチ板の上記出力ギヤに対する接触摩擦力を調整する手段から構成されることを特徴とするモニタ用スイーベル装置。
【請求項２】
前記クラッチ板の接触摩擦力を調整する手段が、該クラッチ板を押さえるスリップトルク調整板と、該押さえ力を調整する調整ネジを有することを特徴とするモニタ用スイーベル装置。
【請求項３】
前記クラッチ板の接触摩擦力を調整する手段が、上記スリップトルク調整板と、該スリップトルク調整板を取り付け固定すると共に上記ベース板との間に隙間を持たせて設けられるスリップトルク調整板用固定台と、上記調整ネジから成り、上記調整ネジを締め込んだり緩めて、上記接触摩擦力を調整するように構成したことを特徴とする請求項２に記載のモニタ用スイーベル装置。
【請求項４】
前記電動モータの出力軸に設けたウオームギヤを介して前記出力ギヤを回転駆動することを特徴とする請求項１、２または３に記載のモニタ用スイーベル装置。
【考案の詳細な説明】
【技術分野】
【０００１】
本考案は、ＴＶモニタ等のモニタ画面の向きを左右に動かすための、モニタ用スイーベル装置に関するものである。
【背景技術】
【０００２】
従来のこの種のモニタ用スイーベル装置としては、手動でモニタを水平方向に回転操作する時の操作力の調整、すなわち、スリップトルクの調整ができなかった。
【０００３】
従って、組立後にスリップトルクの調整ができなかったので、生産ライン上での歩留まりが悪かったり、市場での不具合に対応できないだけでなく、各種ＴＶサイズ毎に、その重量に合わせて最適な操作力を確保できるようにしなければならず、手動スイーベル装置の共通化が要請されていた。
【考案の開示】
【考案が解決しようとする課題】
【０００４】
本考案が解決しようとする課題は、組立後にもスイーベル操作力、すなわち、スリップトルクの調整ができるようにして、上記従来の問題点を解消したモニタ用スイーベル装置を提供することにある。
【課題を解決するための手段】
【０００５】
本考案のモニタ用スイーベル装置は、ベース板と、該ベース板に回転自在に設けられると共に電動モータにより回転駆動される出力ギヤと、該出力ギヤにスリップ部を介して摩擦接触しながら回転駆動されるクラッチ板と、該クラッチ板に取り付け固定されるモニタ取付板と、該クラッチ板の上記出力ギヤに対する接触摩擦力を調整する手段から構成されることを特徴とする。また、前記クラッチ板の接触摩擦力を調整する手段が、該クラッチ板を押さえるスリップトルク調整板と、該押さえ力を調整する調整ネジを有することを特徴とする。さらに、前記クラッチ板の接触摩擦力を調整する手段が、上記スリップトルク調整板と、該スリップトルク調整板を取り付け固定すると共に上記ベース板との間に隙間を持たせて設けられるスリップトルク調整板用固定台と、上記調整ネジから成り、上記調整ネジを締め込んだり緩めて、上記接触摩擦力を調整するように構成したことを特徴とする。又更に、前記電動モータの出力軸に設けたウオームギヤを介して前記出力ギヤを回転駆動することを特徴とする。
【考案の効果】
【０００６】
１）スリップトルクを組立後にでも調整可能にしたので、生産ライン上での歩留まりの向上や、市場での不具合対応に有効である。
２）ＴＶサイズ重量により手動スイーベルの操作力が同じ装置で共通化できる。
【考案を実施するための最良の形態】
【０００７】
図１は、本考案のモニタ用スイーベル装置の一実施例を示す斜視図、および図２は、その平面図であって、１はベース板、２は電動モータ、３は減速歯車列、４は出力ギヤ、５はモニタ取付板である。
【０００８】
上記ベース板１は、適当なモニタ架台（図示せず）に取り付けるか、或いは、該架台に代えて構成してもよい。上記出力ギヤ４は、減速歯車列３を介して電動モータ２により回転駆動される。上記モニタ取付板５には、適当なモニタ（図示せず）が取り付けられる。
【０００９】
図３は、図２のイ−イ断面拡大図であって、６はスリップトルク調整板用固定台、７はスリップトルク調整板、８は調整ネジ、９はクラッチ板である。
【００１０】
上記スリップトルク調整板用固定台６は、上記出力ギヤ４の回転中心部に形成されている穴に、同心軸上に嵌挿されると共に、上記ベース板１に突出されたピン１ａにより、回転しないように固定されている。
【００１１】
上記スリップトルク調整板７は、上記スリップトルク調整板用固定台６上に取り付けられる。該スリップトルク調整板７は、スリップトルク調整板用固定台６上に突設された突起６ａにより、回転しないように固定されている。
【００１２】
上記調整ネジ８は、上記ベース板１の下面から、上記スリップトルク調整板用固定台６およびスリップトルク調整板７に串挿されると共に螺合している。上記ベース板１とスリップトルク調整板用固定台６との間には隙間Ｇが形成されている。
【００１３】
上記クラッチ板９の下面にはスリップ部９ａが形成されていて、上記出力ギヤ４の上面に摺接している。また、上記クラッチ板９には内フランジ９ｂが形成されていて、その上面は上記スリップトルク調整板７に摺接している。
【００１４】
本実施例のモニタ用スイーベル装置は、以上のように、構成されているので、上記電動モータ２により出力ギヤ４が回転駆動されると、上記スリップ部９ａを介して、これと摩擦接触しているクラッチ板９が回転し、モニタ取付板５を介してモニタ（図示せず）が左右の水平方向に回転する。
【００１５】
上記スリップトルク調整板７はクラッチ板９を上から押さえて、該クラッチ板９と上記出力ギヤ４とを摩擦接触させる構造となっており、且つ上記スリップトルク調整板固定台６とベース板１との間に隙間Ｇが形成されているので、上記調整ネジ８を締め込んだり緩めることで、上記スリップトルク調整板７によるクラッチ板９への押さえ力、すなわち、接触摩擦力を調整し、スリップ部９ａを加圧したり減圧して、モニタの手動操作力を調整することができる。
【００１６】
なお、上記電動モータ２の出力軸にはウォームギヤが設けられているため、上記モニタの手動操作時には、出力ギヤ４は回転しない。そのため、クラッチ板９と出力ギヤ４に設けたスリップ部９ａをスリップさせながら回転するようになっている。
【００１７】
上記実施例では、上記スリップトルク調整板用固定台６とスリップトルク調整板７を別の部材として構成しているが、これらを一体の部材として構成してもよい。
【図面の簡単な説明】
【００１８】
【図１】本考案のモニタ用スイーベル装置の一実施例を示す斜視図である。
【図２】図１の平面図である。
【図３】図２のイ−イ断面拡大図である。
【符号の説明】
【００１９】
１    ベース板
２    電動モータ
３    減速歯車列
４    出力ギヤ
５    モニタ取付板
６    スリップトルク調整板用固定台
６ａ  突起
７    スリップトルク調整板
８    調整ネジ
９    クラッチ板
９ａ  スリップ部
９ｂ  内フランジ
Ｇ    隙間
【図１】
0003132678.tif 000003
【図２】
0003132678.tif 000004
【図３】
0003132678.tif 000005
【手続補正書】
【提出日】平成19年3月30日(2007.3.30)
【手続補正１】
【補正対象書類名】実用新案登録請求の範囲
【補正対象項目名】全文
【補正方法】変更
【補正の内容】
【実用新案登録請求の範囲】
【請求項１】
ベース板と、該ベース板に回転自在に設けられると共に電動モータにより回転駆動される出力ギヤと、該出力ギヤにスリップ部を介して摩擦接触しながら回転駆動されるクラッチ板と、該クラッチ板に取り付け固定されるモニタ取付板と、該クラッチ板の上記出力ギヤに対する接触摩擦力を調整する手段から構成されることを特徴とするモニタ用スイーベル装置。
【請求項２】
前記接触摩擦力を調整する手段が、該クラッチ板を押さえるスリップトルク調整板と、該押さえ力を調整する調整ネジを有することを特徴とする請求項１に記載のモニタ用スイーベル装置。
【請求項３】
前記接触摩擦力を調整する手段が、上記スリップトルク調整板と、該スリップトルク調整板を取り付け固定すると共に上記ベース板との間に隙間を持たせて設けられるスリップトルク調整板用固定台と、上記調整ネジから成り、上記調整ネジを締め込んだり緩めて、上記接触摩擦力を調整するように構成したことを特徴とする請求項２に記載のモニタ用スイーベル装置。
【請求項４】
前記電動モータの出力軸に設けたウオームギヤを介して前記出力ギヤを回転駆動することを特徴とする請求項１〜３のいずれか１項に記載のモニタ用スイーベル装置。
【手続補正２】
【補正対象書類名】明細書
【補正対象項目名】０００５
【補正方法】変更
【補正の内容】
【０００５】
本考案のモニタ用スイーベル装置は、ベース板と、該ベース板に回転自在に設けられると共に電動モータにより回転駆動される出力ギヤと、該出力ギヤにスリップ部を介して摩擦接触しながら回転駆動されるクラッチ板と、該クラッチ板に取り付け固定されるモニタ取付板と、該クラッチ板の上記出力ギヤに対する接触摩擦力を調整する手段から構成されることを特徴とする。また、前記接触摩擦力を調整する手段が、該クラッチ板を押さえるスリップトルク調整板と、該押さえ力を調整する調整ネジを有することを特徴とする。さらに、前記接触摩擦力を調整する手段が、上記スリップトルク調整板と、該スリップトルク調整板を取り付け固定すると共に上記ベース板との間に隙間を持たせて設けられるスリップトルク調整板用固定台と、上記調整ネジから成り、上記調整ネジを締め込んだり緩めて、上記接触摩擦力を調整するように構成したことを特徴とする。又更に、前記電動モータの出力軸に設けたウオームギヤを介して前記出力ギヤを回転駆動することを特徴とする。